(57)【要約】【課題】ガスタービン発電プラントにおいて、再循環された煙道ガスと、新鮮な外気との混合を増進するインテーク配列を示す。【解決手段】ガスタービン発電プラント１０００における圧縮機１０用のインテーク配列１００は、細長い部分１１２と、該細長い部分の端部における環状の部分１１４とを備える通路１１０を有している。環状の部分は、圧縮機の近傍において圧縮機入口に配置されている。通路は、細長い部分および少なくとも部分的に前記環状の部分にわたって、少なくとも周方向にかつ半径方向に分割されていて、煙道ガスを貫流させて搬送する複数の煙道ガス入口セグメント１１６と、新鮮な空気流を貫流させて搬送する複数の空気入口セグメント１１８とを構成する。煙道ガス流と、新鮮な空気流とは、目標質量流を形成するために、環状の部分の付近かつ下流側の領域（Ｐ）において、合流する。【選択図】図２
2015036550.tif 000002
【特許請求の範囲】
【請求項１】
ガスタービン発電プラント（１０００）における圧縮機（１０）用のインテーク配列（１００）であって、該インテーク配列（１００）が、
細長い部分（１１２）と、該細長い部分（１１２）の端部における環状の部分（１１４）とを有する少なくとも１つの通路（１１０）を備え、前記環状の部分（１１４）は、前記圧縮機（１０）の近傍において圧縮機入口（１２）に配置されており、
前記通路（１１０）は、前記細長い部分（１１２）全体および少なくとも部分的に前記環状の部分（１１４）にわたって、少なくとも周方向にかつ半径方向に分割され、これにより、
煙道ガス流を貫流させて搬送するようにそれぞれ適合された複数の煙道ガス入口セグメント（１１６）と、
新鮮な空気流を貫流させて搬送するようにそれぞれ適合された複数の空気入口セグメント（１１８）と、を構成しており、
前記煙道ガス入口セグメント（１１６）からの前記煙道ガス流と、前記空気入口セグメント（１１８）からの前記新鮮な空気流とは、前記環状の部分（１１４）の付近かつ下流側の領域（Ｐ）において合流し、混合され、圧縮機入口（１２）を通じて前記圧縮機（１０）内に搬送される目標質量流を形成することを特徴とする、ガスタービン発電プラント（１０００）における圧縮機（１０）用のインテーク配列（１００）。
【請求項２】
前記セグメント（１１６，１１８）は、該セグメント（１１６，１１８）が前記環状の部分（１１４）内で、部分（１１４ｂ）を除いて、所定の部分（１１４ａ）で延びるように、部分的に前記環状の部分（１１４）にわたって構成されるように適合されている、請求項１記載のインテーク配列。
【請求項３】
前記インテーク配列（１００）は、さらに先細りノズル（１２０）を備え、該先細りノズル（１２０）は、多少なりとも前記部分（１１４ｂ）において、前記環状の部分（１１４）と合致して配置されるように適合されており、前記先細りノズル（１２０）の先細り面は、前記圧縮機入口（１２）を向くように配置されている、請求項２記載のインテーク配列。
【請求項４】
前記領域（Ｐ）は、前記環状の部分（１１４）の前記部分（１１４ｂ）から前記圧縮機入口（１２）まで延びている領域である、請求項２記載のインテーク配列。
【請求項５】
前記通路（１１０）は、１つの空気入口セグメント（１１８）と１つの煙道ガス入口セグメント（１１６）との、互いに交互に隣接するセグメントを形成するように分割されている、請求項１記載のインテーク配列。
【請求項６】
複数の前記空気入口セグメント（１１８）はそれぞれ、前記細長い部分（１１２）の端部（１１２ｂ）において、新鮮な空気を受け取るためにパイプ（１３０）に接続されるように適合されている、請求項１記載のインテーク配列。
【請求項７】
複数の煙道ガス入口セグメント（１１６）はそれぞれ、前記細長い部分（１１２）の端部（１１２ｂ）において、煙道ガスを受け取るためにパイプ（１４０）に接続されるように適合されている、請求項１記載のインテーク配列。
【請求項８】
前記インテーク配列（１００）は、さらに環状の部分（１１４）にわたって撹拌を増進するために、前記環状の部分（１１４）の近傍に形成された撹拌エレメントを有している、請求項１記載のインテーク配列。
【発明の詳細な説明】
【技術分野】
【０００１】
本発明は、ガスタービン発電プラントに関し、特に煙道ガス再循環を伴うガスタービン発電プラントにおけるインテーク配列に関する。
【背景技術】
【０００２】
排気ガスの再循環では、排気ガス全体からかなりの割合の排気ガスが分離されて、通常は冷却および浄化後に、圧縮機へと再び搬送される。排気ガスの組成は、新鮮な外気の組成と大幅に異なる。ガスタービン構造の、従来の煙道ガス再循環において再循環された排気ガス流は、周囲からの新鮮な外気と混合され、この混合物はその後に圧縮機へと搬送される。
【０００３】
ガスタービンエンジンの効率的な動作のために、煙道ガスと新鮮な外気との適切な混合が要求され得る。適切な混合を達成するためには従来、ブロアを備えた混合器を使用することができる。しかし、ブロアは高価で、発電プラント内で付加的なスペースを要求し、かつその使用により発電プラントの出力および効率を害するということに基づいて、経済的かつ効率的に、このようなブロアまたは混合器を必要とすることなしに、煙道ガスと、新鮮な外気との混合を増進することを可能にすることができるシステムに対して需要がある。
【発明の概要】
【０００４】
本開示は、ガスタービン発電プラントにおいて再循環された煙道ガスと新鮮な外気との増進された混合を伴う改善された空気取入れ口もしくはインテーク配列を示す。インテーク配列は、以下の簡単な概要に提示される。この概要は、幾つかの付加的な利点を提供するとともに、上記欠点を解消し、すべての利点を包含する本開示の単数または複数の態様の基本的な理解を提供するものである。この概要は、本開示の外延的な概括ではない。この概要は、本開示の重要な要素または必須の要素を識別するものでも、本開示の範囲を線引きするものでもない。むしろ、この概要の唯一の目的は、追って提示する詳細な説明の序章として、簡易化された形態で、開示の幾つかの観念、態様および利点を提示するものである。
【発明が解決しようとする課題】
【０００５】
本開示の目的は、ガスタービン発電プラントにおいて、再循環された煙道ガスと、新鮮な外気との混合を増進するインテーク配列を示すことである。本開示の別の目的は、ガスタービン発電プラントにおいて再循環される煙道ガスと新鮮な外気との適合可能かつ経済的な形式の混合において有効であるインテーク配列を示すことである。本開示のその他の様々な課題および特徴は、以下の詳細な説明および特許請求の範囲から看取される。
【課題を解決するための手段】
【０００６】
上記の目的または別の目的は、１つの実施の形態において、ガスタービン発電プラントの圧縮機用のインテーク配列によって達成される。インテーク配列は、細長い部分と、該細長い部分の端部の環状の部分とを備えた少なくとも１つの通路を有している。環状の部分は、圧縮機の近傍で、圧縮機入口の周囲に配置されていてよい。通路は、細長い部分全体にわたって、かつ少なくとも部分的に環状の部分にわたって、少なくとも周方向に、かつ半径方向に分割され、これにより複数の煙道ガス入口セグメントおよび複数の空気入口セグメントを構成する。複数の煙道ガス入口セグメントはそれぞれ、煙道ガス流を貫流させて搬送するように適合されている。さらに複数の空気入口セグメントはそれぞれ、新鮮な空気を貫流させて搬送するように適合されている。複数の煙道ガス入口セグメントからの煙道ガス流および複数の空気入口セグメントからの新鮮な空気流は、環状の部分の付近かつ下流側の領域Ｐにおいて合流する。これにより、煙道ガスおよび空気流が混合されて、圧縮機入口を通じて圧縮機内へ搬送するための目標質量流を形成する。
【０００７】
本開示の１つの実施の形態では、セグメントは、部分的に環状の部分にわたって構成されているように適合されていてよい。これにより環状の部分内のセグメントは、特定の部を残して、所定の部分にまで延びている。
【０００８】
本開示の別の実施の形態では、先細りノズルは、多かれ少なかれ所定の部分において環状の部分に合致して配置されるように適合されていてよい。先細りノズルは、該先細りノズルの先細り面が圧縮機入口を向くように配置されていてよい。
【０００９】
１つの実施の形態では、圧縮機入口に煙道ガスを供給する先細りノズルのためのノズル入口からノズル出口への面積比が、圧縮機入口に新鮮な空気流を供給する先細りノズルのためのノズル入口からノズル出口への面積比とは異なっている。したがって、煙道ガスを供給するノズルにわたる圧力比は、新鮮な空気流を供給するノズルにわたる圧力比とは異なっている。ノズル出口、つまり圧縮機入口における共通の圧力と、新鮮な空気のための規定の周辺圧力とに対して、煙道ガスのためのノズル入口、つまり煙道ガス再循環ラインにおける圧力は、異なる面積比の選択によって調節されてよく、煙道ガス調整および煙道ガス冷却を含む煙道ガス再循環路の圧力損失を克服するために十分であるレベルにまで低下されてよい。択一的に、または組み合せて、面積比を、ノズル出口における流速を適合するために使用することができる。
【００１０】
本開示の実施の形態では、領域Ｐは、環状の部分の一部から圧縮機入口にまで延びる領域である。
【００１１】
本開示の実施の形態では、通路は分割されて、１つの煙道ガス入口セグメントおよび１つの空気入口セグメントの互いに交互に隣接するセグメントを形成することができる。
【００１２】
本開示の別の実施の形態では、通路の環状の部分は、圧縮機入口に面した、同心的で環状の少なくとも２つの開口に分割されている。各環状の開口は、さらに周方向で少なくとも２つのセグメントに分割されている。形成された隣接するセグメントは、１つの空気入口セグメントと１つの煙道ガス入口セグメントとの周方向で交互に隣接するセグメントであり、かつ１つの空気入口セグメントと１つの煙道ガスセグメントとの半径方向で、つまり内側から外側の環状の開口へと交互に隣接するセグメントであるように形成されている。
【００１３】
本開示の１つの実施の形態は、細長い部分の端部における複数の空気入口セグメントがそれぞれ、新鮮な空気を受け取るためにパイプに接続されるように適合されていてよい。同様に、細長い部分の端部における複数の煙道ガス入口セグメントはそれぞれ、煙道ガスを受け取るためにパイプに接続されるように適合されていてよい。
【００１４】
本開示の別の実施の形態では、インテーク配列は、少なくとも１つの撹拌器を有しており、該撹拌器は、環状の部分にわたる乱流を増進するために、環状の部分の近傍に形成されている。
【００１５】
これらの実施の形態については、本開示のその他の実施の形態と一緒に、本開示を特徴付ける新規な様々な特徴を伴って、特殊性とともに本開示において指摘する。本開示、運用上の利点および使用のより良好な理解のために、本開示の実施の形態を説明する添付の図面および説明事項を参照されたい。
【００１６】
本開示の利点及び特徴は、添付図面との関連での以下の詳細な説明及び特許請求の範囲を参照すると、より良好に理解されるであろう。同一の要素には、同一の符号を付した。
【図面の簡単な説明】
【００１７】
【図１】本開示の例示的な態様によるインテーク配列を示す、ガスタービン発電プラントの例を示す図である。
【図２】本開示の例示的な態様による、図１に示したインテーク配列の側面図である。
【図３ａ】本開示の例示的な態様による、図２に示したインテーク配列のＡ−Ａ’線での例示的な断面図である。
【図３ｂ】本開示の例示的な態様による、図２に示したインテーク配列のＡ−Ａ’線での例示的な断面図である。
【図３ｃ】本開示の例示的な態様による、図２に示したインテーク配列のＡ−Ａ’線での例示的な断面図である。
【図４ａ】本開示の例示的な態様による、図２に示したインテーク配列のＢ−Ｂ’線での例示的な断面図である。
【図４ｂ】本開示の例示的な態様による、図２に示したインテーク配列のＢ−Ｂ’線での例示的な断面図である。
【図４ｃ】本開示の例示的な態様による、図２に示したインテーク配列のＢ−Ｂ’線での例示的な断面図である。
【発明を実施するための形態】
【００１８】
同一の符号は、図面についての説明全般にわたって、同一の要素を指している。
【００１９】
本開示の詳細な説明
本開示の十分な理解のために、上述の図面と関連させて、添付の特許請求の範囲を含む以下の詳細な説明を参照されたい。以下の説明中、説明の目的で、本開示の十分な理解を提供するために多数の特定事項を示す。しかし、本開示がこれらの特定事項なしに実施され得ることは、当業者にとって明白である。他の例では、構造および装置は、開示を不明りょうにすることを避けるため、ブロック図の形態でのみ示されている。
【００２０】
本明細書における「１つの実施の形態」、「実施の形態」、「別の実施の形態」、「様々な実施の形態」についての言及は、実施の形態との関連で説明されるある特定の特徴、構造または特性が、本開示の少なくとも１つの実施の形態に包含されていることを意味する。本明細書中の様々な箇所に表記される「１つの実施の形態において」なる句は、必ずしもすべて、同じ実施の形態について云うものではなく、また互いに他の実施の形態を除外する別個のまたは択一的な実施の形態について云うものでもない。さらに、幾つかの実施の形態に提示され、別の実施の形態には提示されない様々な特徴が記載される。同様に、幾つかの実施の形態の要件であるが、別の実施の形態の要件ではない様々な要件が記載される。
【００２１】
以下の説明は、説明の目的で多数の特定事項を含むが、当業者であれば、これらの事項の多数の変更および／または置換が本開示の範囲内にあることを理解するであろう。同様に、本開示の多数の特徴は、相互の観点でまたは相互に関連して説明されるが、当業者であれば、これらの多数の特徴が他の特徴とは独立して提供されてもよいことを理解するであろう。それゆえ、本開示のこの説明は、本開示の普遍性を失わせたり、本開示に制限を加えたりすることなく示される。さらに相対的な用語は、本明細書において、何らかの順序、高度または重要度を示すものではなく、むしろ、ある要素を他の要素から区別するために使用される。さらに、本明細書における「一」なる用語は、量の限定を示すものではなく、むしろ、対象物が少なくとも１つ存在することを示すものである。
【００２２】
図１から図４Ｃには、ガスタービン発電プラント１０００（「プラント１０００」とも呼ばれる）の、圧縮機入口１２を有する圧縮機１０に関連して構成されるように適合されたインテーク配列１００および該インテーク配列１００の構成部材の種々の実施の形態が図示されている。図１および図２は、圧縮機入口１２を有する圧縮機１０をインテーク配列１００と共に描く、プラント１０００の実施例と、該プラント１０００の一部とをそれぞれ示している。さらに図３Ａから図３Ｃは、図２に示したＡ−Ａ’断面に沿ったインテーク配列１００の種々の実施例を図示している。さらに図４Ａから図４Ｃは、図２に示したＢ−Ｂ’断面に沿ったインテーク配列１００の種々の実施例を図示している。
【００２３】
インテーク配列１００および該インテーク配列１００が関連して適用されかつ使用されるプラント１０００の構造および配置と同様に、様々な関連要素は、当業者にとって良く知られており、本開示の理解を得る目的で、全ての構造的な事項およびその説明を本明細書で詳述することは不要であると考える。むしろ、図１から図４Ｃに示すように、インテーク配列１００および該インテーク配列１００が関連して適用可能であるプラント１０００のうち、本開示の様々な実施の形態の説明にとって重要なコンポーネントのみを示していることを指摘さえすれば十分と思われる。
【００２４】
図１を参照すると、煙道ガス再循環を伴うプラント１０００の重要な構成要素の概略図が、本開示の例示的な実施の形態に関連して示されている。プラント１０００は、圧縮機１０を有している。圧縮機１０は、圧縮機入口１２から燃焼空気を受け取るように適合されている。新鮮な空気は圧縮機１０内で圧縮され、燃焼器１４へと搬送されるようになっており、該燃焼器内では、このような圧縮された空気と燃料が共に燃焼される。高温の燃焼ガスは、次いでタービン１６内で膨張される。
【００２５】
タービン１６内で生成された有益なエネルギは、次いで発電機を介して電気的なエネルギへと変換される。タービン１６から出てくる高温の煙道ガスは、該煙道ガス内に未だ含まれているエネルギの最適な利用のために、排熱回収ボイラ（ＨＲＳＧ）２０内で使用され得る。さらに、排熱回収ボイラＨＲＳＧ２０からの煙道ガス流は、２つの部分流に分割されてよく、この場合、煙道ガス流１の１つの部分流は、インテーク配列１００内へと再循環されてよく、該インテーク配列１００内で新鮮な空気流２と混合され、圧縮機入口１２を介して圧縮機１０内へと搬送されるようになっている。再循環された煙道ガス２と空気流１とが混合される前に、浄化および冷却区分において、浄化および冷却に関して煙道ガスを調整することが基本的に必要とされる。さらに、煙道ガス流の、戻されなかった残りの部分流は、煙突２２を通じて周囲に排出されるか、または別の目的のために使用され得る。
【００２６】
図２には、インテーク配列１００の例が図示されている。このインテーク配列１００は、圧縮機入口１２を介して圧縮機１０へ向かう再循環された煙道ガスと、新鮮な空気とを混合するために利用され得る。インテーク配列１００は、通路１１０のような少なくとも１つの通路を含んでいる。通路１１０は、細長い部分１１２と、環状の部分１１４とを有している。細長い部分１１２は、末端部分１１２ａ，１１２ｂを有している。環状の部分１１４は、細長い部分１１２の端部１１２ａに形成されていてよい。通路１１０は、環状の部分１１４側から圧縮機入口１２に向かって構成されるように適合されていてよい。環状の部分１１４は、圧縮機１０の近傍で圧縮機入口１２にある。
【００２７】
通路１１０は、細長い部分１１２全体にわたって、かつ少なくとも部分的に環状の部分１１４にわたって、少なくとも周方向に、かつ半径方向に分割され、複数の煙道ガス入口セグメント１１６と、複数の空気入口セグメント１１８（まとめて「セグメント１１６」とも呼ばれる）とを形成するようになっている。セグメント１１６，１１８は、部分的に環状の部分１１４にわたって構成されているように適合されてよく、これにより環状の部分１１４内のセグメント１１６，１１８は、部分１１４ｂを除いて、所定の部分１１４ａで延びている。換言すると、セグメント１１６，１１８は、一方の端部１１２ａから他方の端部１１２ｂに向かって細長い部分１１２の全長にわたって構成されていてよく、かつ部分的に環状の部分１１４内において部分１１４ｂに至るまでしか延びていない。しかし、本開示の範囲を逸脱することなしに、セグメント１１６，１１８は、要求に応じて環状の部分１１４の全体的な部分にわたって構成されていてよい。
【００２８】
本開示の最も好適な１つの実施の形態では、通路１１０は、１つの空気入口セグメント１１８セグメントと、１つの煙道ガス入口セグメント１１６との、互いに交互に隣接するセグメントを形成するように分割されている。セグメント１１６，１１８のこのような様々な交互のパターンが、図３Ａ〜図３Ｃおよび図４Ａ〜図４Ｃに示されている。
【００２９】
特に、図３Ａから図３Ｃは、図２に示すインテーク配列１００のＡ−Ａ’線に沿った、部分１１４ａに沿った環状の部分１１４の種々の例示的な断面図を示している。図３Ａには、環状の部分１１４の部分１１４ａが半径方向かつ周方向に分割されて８つのセグメントを形成している。８つのセグメントのうちの４つのセグメントは、該セグメントを通じて煙道ガス流１を供給するために適合されており、煙道ガス入口セグメント１１６と呼ばれる。さらに８つのセグメントのうちの残りの４つのセグメントは、該セグメントを通じて新鮮な空気流２を供給するために適合されており、空気入口セグメント１１８と呼ばれる。さらにこのような８つのセグメント、つまり煙道ガス入口セグメント１１６である４つのセグメントと、空気入口セグメント１１８である別の４つのセグメントとは、各煙道ガス入口セグメント１１６および各空気入口セグメント１１８が交互になるように配置されている。
【００３０】
同様に、図３Ｂでは、環状の部分１１４の部分１１４ａが、半径方向かつ周方向に分割されて２４つのセグメントを形成している。２４のセグメントのうちの１２のセグメントは、該セグメントを通じて煙道ガス流１を供給するために適合されており、煙道ガス入口セグメント１１６と呼ばれる。さらに２４のセグメントのうちの残りの１２のセグメントは、該セグメントを通じて新鮮な空気流２を供給するために適合されており、空気入口セグメント１１８と呼ばれる。さらに２４のこれらのセグメント、つまり煙道ガス入口セグメント１１６である１２のセグメントと、空気入口セグメント１１８である別の１２のセグメントとは、互いに対して交互になるように配置されている。
【００３１】
図３Ｃに示されている別の例では、環状の部分１１４の部分１１４ａが単に周方向で分割されて３つのセグメント、つまり煙道ガス入口セグメント１１６である１つのセグメントと、空気入口セグメント１１８である別２つのセグメントとを形成している。これらのセグメントのうちの各セグメントは交互に構成されている。しかし、本開示の範囲を逸脱することなしに、図３Ａ〜図３Ｂに図示されたものとは別に、要求に応じて種々の別の個数のセグメントが形成されていてもよい。
【００３２】
図４Ａ〜図４Ｃは、図２に示したインテーク配列１００のＢ−Ｂ線に沿って、細長い部分１１２の種々の例示的な断面を示している。図４Ａでは、細長い部分１１２が周方向で分割されて８つのセグメントを形成している。８つのセグメントのうちの４つのセグメントは、該セグメントを通じて煙道ガス流１を供給するために適合されており、煙道ガス入口セグメント１１６と呼ばれる。さらに８つのセグメントのうちの残りの４つのセグメントは、該セグメントを通じて新鮮な空気流２を供給するために適合されており、空気入口セグメント１１８と呼ばれる。さらにこのような８つのセグメント、つまり煙道ガス入口セグメント１１６である４つのセグメントと、空気入口セグメント１１８である別の４つのセグメントとは、各煙道ガス入口セグメント１１６および各空気入口セグメント１１８が交互になるように配置されている。
【００３３】
同様に、図４Ｂには、細長い部分１１２が周方向で分割されて２４のセグメントを形成している。２４のセグメントのうちの１２のセグメントは、該セグメントを通じて煙道ガス流１を供給するために適合されており、煙道ガス入口セグメント１１６と呼ばれる。さらに２４のセグメントのうちの残りの１２のセグメントは、該セグメントを通じて新鮮な空気流２を供給するために適合されており、空気入口セグメント１１８と呼ばれる。さらにこのような２４のセグメント、つまり煙道ガス入口セグメント１１６である１２のセグメントと、空気入口セグメント１１８である別の１２のセグメントとは、互いに交互に配置されている。
【００３４】
図４Ｃに示されているような別の例では、細長い部分１１２が、周方向で分割されて３つのセグメント、すなわち煙道ガス入口セグメント１１６である１つのセグメントと、空気入口セグメント１１８である別２つのセグメントとを形成している。３つのセグメントのうちの各セグメントは交互に構成されている。しかし、本開示の範囲を逸脱することなしに、要求に応じて種々の別の個数のセグメントが図４Ａ〜図４Ｂに図示されたような正方形ではなく、様々な形状で形成されていてもよい。
【００３５】
さらに、煙道ガス入口セグメント１１６と空気入口セグメント１１８との、図３Ａ−図４Ｃに示されたような交互の配置は、煙道ガス流１と新鮮な空気流２との迅速かつ最適な混合を可能にする。しかし、たとえば１つの空気入口セグメント１１８に対する２つの煙道ガス入口セグメント１１６が交互に配置されているか、または２つの空気入口セグメント１１８に対して２つの煙道ガス入口セグメントが交互に配置されているような煙道ガス入口セグメント１１６と空気入口セグメント１１８の連続の別の配置も、本開示の範囲を逸脱することなしに可能であってよくまた考えられる。
【００３６】
図２に戻ると、このような各煙道ガス入口セグメント１１６は、該煙道ガス入口セグメント１１６を通して煙道ガス流１を搬送するように適合されている。このためには、細長い部分１１２の端部１１２ｂにおける煙道ガス入口セグメント１１６はそれぞれ、ＨＲＳＧ２０から再循環された煙道ガスを受け取るためにパイプ１４０に接続されるように適合されていてよい。同様に、空気入口セグメント１１８はそれぞれ、該空気入口セグメント１１８を通して新鮮な空気流２を搬送するように適合されている。細長い部分１１２の端部部分１１２ｂにおけるこのような入口セグメント１１８はそれぞれ、周辺から新鮮な空気を受け取るためにパイプ１３０に接続されるように適合されていてよい。
【００３７】
煙道ガス入口セグメント１１６からの煙道ガス流１および空気入口セグメント１１８からの新鮮な空気流２は、環状の部分１１４の付近かつ下流側の領域Ｐにおいて合流し、混合されて、圧縮機入口１２を通じて圧縮機１０内に搬送される目標質量流３を形成する。領域Ｐは、環状の部分１１４の部分１１４ｂから圧縮機入口１２まで延びている領域であってよい。目標質量流３は、上述のように煙道ガス入口セグメント１１６および空気入口セグメント１１８の交互の配置による、煙道ガス流１と新鮮な空気流２との最適に混ぜられた混合物であってよい。
【００３８】
本開示の別の実施の形態では、インテーク配列１００は、先細りノズル１２０を有していてよく、先細りノズル１２０は、通路１１０と調整されて配置されるように適合されている。さらに具体的には、先細りノズル１２０は、多少なりとも環状の部分１１４の部分１１４ｂにおいて環状の部分１１４に合致するように配置されるように適合されている。先細りノズル１２０は、圧縮機入口１２の方向を向いている先細り面１２０ａの方向に収束するように配置されている。先細りノズル１２０は、最適に混合された目標質量流３を得るために、煙道ガス流１と新鮮な空気流２との混合をさらに増進するように適合されていてよい。
【００３９】
本開示のさらに別の実施の形態では、インテーク配列１００は、さらに撹拌エレメントを有していて良い。撹拌エレメントは、環状の部分１１４の近傍に配置されていてよく、該環状の部分１１４にわたる乱流を高めて、煙道ガス流１と新鮮な空気流２との混合を増進させ、目標質量流３を得ることができる。
【００４０】
本開示のインテーク配列１００は、種々の範囲において有利である。本開示のインテーク配列は、ガスタービン発電プラントにおいて再循環された煙道ガスと、新鮮な外気との混合を増進する。特に、煙道ガス入口セグメントと、空気入口セグメントとの交互の配置は、目標質量流を達成するための、煙道ガス流と新鮮な空気流との迅速かつ最適な混合を可能にする。さらに、インテーク配列は、ガスタービン発電プラントにおいて、再循環された煙道ガスおよび新鮮な周辺空気との適合可能かつ経済的な形式での混合のために効果的である。上述のようなセグメント化された通路は、発電プラントのいずれの構成要素に障害をもたらさず、上述のように種々の態様において有利である。
【００４１】
本開示の特別な実施の形態の上述の説明は、図示および説明の目的で提示したものであり、すべてを網羅したものであることを意図したものでもなければ、本開示を開示された具体的な形態に限定することを意図したものでもなく、明らかに多くの改変および変更が、上述の教示に照らして可能である。本実施の形態は、本開示の原理およびその実際の使用を最良に描写するために、ひいては、当業者が本開示および様々な実施の形態を、企図される特別な使用に適合された様々な改変を伴って、最良に使用することができるようにするために、選択し、説明したものである。状況が提案または提供するのであれば、様々な省略および均等物の置換が企図され、これらが、本開示の思想または特許請求の範囲を逸脱することなく、適用または実施をカバーすることは、自明である。
【符号の説明】
【００４２】
１０００  ガスタービン発電プラント、プラント
１００  インテーク配列
１１０  通路
１１２  細長い部分
１１２ａ，１１２ｂ  端部部分
１１４  環状の部分
１１４ａ，１１４ｂ  部分
１１６  煙道ガス入口セグメント
１１８  空気入口セグメント
１２０  先細りノズル
１２０ａ  先細り面
１３０，１４０  パイプ
１０  圧縮機
１２  圧縮機入口
１４  燃焼器
１６  タービン
２０  排熱回収ボイラ
２２  煙突
２３  浄化および冷却区分
１  煙道ガス流
２  新鮮な空気流
３  目標質量流
Ｐ  領域
【図１】
2015036550.tif 000003
【図２】
2015036550.tif 000004
【図３ａ】
2015036550.tif 000005
【図３ｂ】
2015036550.tif 000006
【図３ｃ】
2015036550.tif 000007
【図４ａ】
2015036550.tif 000008
【図４ｂ】
2015036550.tif 000009
【図４ｃ】
2015036550.tif 000010
【外国語明細書】
2015036550.tif 000011
2015036550.tif 000012
2015036550.tif 000013
2015036550.tif 000014
2015036550.tif 000015
2015036550.tif 000016
2015036550.tif 000017
2015036550.tif 000018
2015036550.tif 000019
2015036550.tif 000020
2015036550.tif 000021
2015036550.tif 000022
2015036550.tif 000023
2015036550.tif 000024
2015036550.tif 000025
2015036550.tif 000026
2015036550.tif 000027
2015036550.tif 000028
2015036550.tif 000029